(57)【要約】【課題】一層高い観察倍率に耐え、ファインダ光学系を小型化することを可能とする視野枠体を提供する。【解決手段】視野枠体１は、第１の遮光部材１１と、第２の遮光部材１２とを具備し、第１の遮光部材１１には、長方形の開口部１１ａが設けられており、第２の遮光部材１２には、長方形の開口部１２ａが設けられている。これら第１の遮光部材１１と第２の遮光部材１２は、重ね合わされて使用される。第１の遮光部材１１と第２の遮光部材１２とを重ね合わせた状態で、開口部１１ａと開口部１２ａにより合成される視野開口部１ａは、水平方向に対応する横方向の寸法が第１の遮光部材１１で規制され、垂直方向に対応する縦方向の寸法が第２の遮光部材１２で規制される。視野開口部１ａは、各角部が開口部１１ａと開口部１２ａの辺の交差により形成され、湾曲を生じることはない。【選択図】    図１
2004205829.tif 000002
【特許請求の範囲】
【請求項１】
視野範囲を限定する視野開口部を形成する視野枠体において、
前記視野開口部の各角部をそれぞれ構成する隣接し且つ互いに交わる各２辺の少なくとも一方を、他方との交点よりも外側まで延在させて前記視野開口部を形成する遮光部材を具備することを特徴とする視野枠体。
【請求項２】
前記視野開口部の各角部をそれぞれ構成する隣接し且つ互いに交わる各２辺を、前記遮光部材の非連続面により規定して前記視野開口部を形成してなることを特徴とする請求項１に記載の視野枠体。
【請求項３】
前記視野開口部の各角部を構成する隣接し且つ互いに交わる各２辺を、それぞれ異なる遮光部材および同一の遮光部材における隣接していない部分の少なくとも一方にて構成してなることを特徴とする請求項１または請求項２に記載の視野枠体。
【請求項４】
それぞれ異なる方向についての視野範囲を限定する複数の遮光部材を重ね合わせて前記視野開口部を形成することを特徴とする請求項３に記載の視野枠体。
【請求項５】
前記視野開口部は、第１の方向に沿う互いに平行な２辺と前記第１の方向に交差する第２の方向に沿う互いに平行な２辺にて囲まれた四角形状の視野開口部であり、且つ
前記視野開口部を構成する各辺の前記第１の方向についての視野範囲を限定する第１の遮光部材と、
前記第１の遮光部材に重ね合わせて配置され、前記視野開口部を構成する各辺の前記第２の方向についての視野範囲を限定する第２の遮光部材と
を具備することを特徴とする請求項４に記載の視野枠体。
【請求項６】
前記遮光部材は、視野範囲を限定する２つ以上の開口部を有し、且つ前記各開口部の間で折り曲げて前記各開口部を重ね合わせることにより１つの視野開口部を形成する遮光部材を含むことを特徴とする請求項３に記載の視野枠体。
【請求項７】
前記遮光部材は、第１の方向に沿って向かい合う互いに平行な２辺の組および前記第１の方向に交差する第２の方向に沿って向かい合う互いに平行な２辺の組にて囲まれた四角形状をなす１つの開口部を有し、且つ前記開口部の向かい合う１組または２組の辺の外縁を折り曲げて各辺より内側に位置させて視野開口部を形成する遮光部材を含むことを特徴とする請求項３に記載の視野枠体。
【請求項８】
前記遮光部材は、表裏両面のうち少なくとも一方の面を厚さ方向に加工することにより前記視野開口部を形成することを特徴とする請求項１または請求項２に記載の視野枠体。
【請求項９】
前記遮光部材の厚さ方向の加工は、切削および研削の少なくともいずれかに類する物理的な加工であることを特徴とする請求項８に記載の視野枠体。
【請求項１０】
前記遮光部材の厚さ方向の加工は、エッチングに類する化学的な加工であることを特徴とする請求項８に記載の視野枠体。
【請求項１１】
前記遮光部材は、開口部の互いに平行な１組の縁部を折曲して当該辺の厚み面を開口平面とほぼ平行とし、該縁部の幅面により視野開口を限定することにより視野開口部を形成することを特徴とする請求項１または請求項２に記載の視野枠体。
【請求項１２】
前記遮光部材に段差を設けて、視野開口部を構成する各辺の視度差を減じる構成としたことを特徴とする請求項３〜請求項１１のうちのいずれか１項に記載の視野枠体。
【請求項１３】
請求項１〜請求項１２のうちのいずれか１項の視野枠体を含んで構成することを特徴とするファインダ装置。
【請求項１４】
請求項１〜請求項１２のうちのいずれか１項の視野枠体をファインダ光学系および撮影光学系の少なくとも一方に含むことを特徴とする撮影装置。
【発明の詳細な説明】
【０００１】
【発明の属する技術分野】
本発明は、銀塩フィルムカメラ、ディジタルスティルカメラおよびディジタルビデオカメラのような撮影装置に設けられるファインダ光学系および／または撮影光学系における視野を限定する視野枠、あるいは双眼鏡および望遠鏡のような光学装置などの視野を限定する視野枠に係り、特に視野範囲を規定する視野開口を形成する視野枠体並びにそのような視野枠体を備えたファインダ装置および撮影装置に関するものである。
【０００２】
【従来の技術】
いわゆるディジタルスティルカメラやディジタルビデオカメラ、そして在来の銀塩フィルムを用いる銀塩フィルムカメラ等のような各種のカメラにおいては、撮影時の撮影視野を視認するためのファインダ装置が設けられている。このようなファインダ装置においては、視野範囲を視野枠の視野開口部によって限定することによって撮影視野を視認させるようにしている。
この種の視野枠に関連する従来の技術としては、それぞれ開口部を有する複数の遮光部材を部分的に組み合わせて、形状および大きさの異なる複数の視野開口を形成するものにおいて、組み合わせた際の視野開口の隅部となる開口の辺部分に円弧部を形成して、常に隅部が円弧状となるようにしたものがある（例えば、下記特許文献１参照）。
【特許文献１】
特開２００１−１３３８５２号公報
【０００３】
【発明が解決しようとする課題】
上述した特許文献１では、開口部を組み合わせて撮影視野を小さくしたときに、視野開口の隅部を円弧状として、隅部が角状になるのを防止している。
ところが、上述したような各種のカメラは、近年において、薄型化および小型化の傾向が顕著である。近年、このようなカメラの薄型化および小型化傾向に伴い、カメラにおける撮影時の撮影視野を視認するためのファインダ装置にも薄型化および小型化が要求され、その結果、ファインダ装置を構成するファインダ光学系等の構成部品も小型化の一途を辿っている。そのため、ファインダ光学系の視野範囲を限定する視野枠の視野開口部も小さくならざるを得ない状況である。
しかしながら、ファインダ光学系における像倍率はファインダ装置の大きさにかかわらず一定の値以上でないと見づらくなってしまうため、ファインダ観察時の視野枠の拡大率は、従来よりも一層大きな値が要求されることになる。ところが視野枠における視野開口部の角部の曲率半径Ｒは、視野開口部の加工限界で決まってしまい一定値以下に加工することが困難であるため、視野枠の観察時の拡大率が大きくなると、視野枠像の上では相対的に従来よりも大きな曲率半径となる。その結果、視野枠像の品位を落とすだけではなく、視野枠自体の実用性にまで悪影響を与えてしまう。つまり、視野開口部の角部の曲率半径Ｒの加工限界は、ファインダ装置の小型化に対する障害となっている。
【０００４】
すなわち、図１８に示すように、ファインダ光学系における視野範囲を限定している視野枠Ｆは、接眼レンズＬを介して拡大像Ｆ′として観察者の瞳Ｅによって観察される。従来の構成においては、図１９に示すように、視野枠Ｆ１を視野枠拡大像Ｆ１′として観察している。ところが、小型化が進んで視野開口部が小さくなり、拡大率が増すと、図２０に示すように、小さな視野枠Ｆ２を視野枠拡大像Ｆ２′として観察することになる。図１９における視野枠Ｆの角部の加工が加工限界に達しているとすると、加工限界によって定まる角部の曲率半径が、視野枠拡大像Ｆ１′では、曲率半径Ｒ１として観察される。このように視野枠Ｆの角部の加工が加工限界に達している場合、拡大率の高い図２０においては、加工限界によって定まる角部の曲率半径が、視野枠拡大像Ｆ２′で、拡大率が低い場合の曲率半径Ｒ１よりも大きな曲率半径Ｒ２として観察される。このため、ファインダ光学系の拡大率が高くなればなるほど、加工限界による角部の曲率半径が増大してしまうことになる。
このような状況に対処するためには、視野枠を構成する遮光部材の開口部の加工精度をさらに向上させることが要求される。
【０００５】
本発明は、上述した事情に鑑みてなされたもので、視野枠を形成する遮光部材による視野開口部の構成および前記遮光部材の加工方法を改善し、一層高い観察倍率に耐え、ファインダ光学系を小型化することを可能とする視野枠体、ファインダ装置および撮影装置を提供することを目的としている。
本発明の請求項１の目的は、特に、視野開口の各角部となる隣接する各２辺の交差により、実質的に湾曲部分を持たない角部を遮光部材により形成し、高い拡大率においても加工精度による影響を受けない視野開口部形状を得ることができ、小型化しても形状品位が低下せず、実用性の高い視野枠体を提供することにある。
本発明の請求項２の目的は、特に、遮光部材に視野開口の角部を直接加工形成することなく視野開口部を形成し、高い拡大率においても加工精度による影響を受けない視野開口部形状を容易に得ることができ、形状品位が高く、小型化しても実用性の高い視野枠体を提供することにある。
【０００６】
本発明の請求項３の目的は、特に、視野開口部を形成する各角部に隣接する２辺を他の遮光部材または同一の遮光部材の他の部分で構成し、視野開口部の角部における湾曲部分を原理的に持たない視野枠体を提供することにある。
本発明の請求項４の目的は、特に、視野範囲を規定する方向毎の複数の遮光部材を重ね合わせて視野開口部を形成し、角部における湾曲部分を持つことのない視野枠体を提供することにある。
本発明の請求項５の目的は、特に、第１の方向についての視野範囲を規定する第１の遮光部材に、それと交差する第２の方向についての視野範囲を規定する第２の遮光部材を重ね合わせて視野開口部を形成し、簡単な構成で角部における湾曲部分を持つことのない視野枠体を提供することにある。
本発明の請求項６の目的は、特に、それぞれ異なる方向についての視野範囲を既定する２つ以上の開口部を設けた遮光部材を、これら各開口部の間で前記各開口部をほぼ重ね合わせて折曲することにより視野開口部を形成し、安価で且つ簡単で、しかも組み付けも容易な構成で視野開口部の角部に湾曲部分を持つことのない視野枠体を提供することにある。
【０００７】
本発明の請求項７の目的は、特に、開口部を有する遮光部材の向かい合った１組または２組の縁部において、外縁を前記開口部の当該辺よりも内側に位置させるべく折り畳んで視野開口部を形成し、安価で且つ簡単で、しかも組み付けも容易な構成で視野開口部の角部に湾曲部分を持つことのない視野枠体を提供することにある。
本発明の請求項８の目的は、特に、遮光部材の表裏両面のうち少なくとも一方の面を厚さ方向に加工して前記視野開口部を形成し、高い拡大率においても加工精度による影響を受けない視野開口部形状を得ることができ、小型化しても形状品位が低下せず、実用性の高い視野枠体を提供することにある。
本発明の請求項９の目的は、特に、前記遮光部材の厚さ方向の加工を切削または研削等に類する物理的な加工とし、視野開口部を容易に且つ正確な形状に得ることができる視野枠体を提供することにある。
本発明の請求項１０の目的は、特に、前記遮光部材の厚さ方向の加工を、エッチング等に類する化学的な加工とし、物理的加工が困難な強度の低いシート材等についても視野開口部を容易に且つ正確な形状に得ることができる視野枠体を提供することにある。
【０００８】
本発明の請求項１１の目的は、特に、前記遮光部材の開口部の互いに平行な１組の縁部を折曲して当該辺の厚み面を開口平面とほぼ平行とし、該縁部の幅面により視野開口を既定することにより視野開口部を形成し、少ない工数で、視野開口部の角部に湾曲部分を持つことのない視野枠体を提供することにある。
本発明の請求項１２の目的は、特に、前記遮光部材に段差を設けて、視野開口部を構成する各辺の視度差を減じ、比較的厚い視野枠部材を用いた場合にも、視度差による影響を受けることなく、視野枠像を容易に観察し得る視野枠体を提供することにある。
本発明の請求項１３の目的は、一層高い観察倍率に耐え得る視野枠体を用いて、容易に小型化し得るファインダ装置を提供することにある。
本発明の請求項１４の目的は、ファインダ光学系および撮影光学系の少なくとも一方に、一層高い観察倍率に耐え得る視野枠体を用いて、小型化を可能とし、設計上のレイアウトの自由度が高く、外装のデザインや使い易さやにも優れた撮影装置を提供することにある。
【０００９】
【課題を解決するための手段】
請求項１に記載した本発明に係る視野枠体は、上述した目的を達成するために、視野範囲を限定する視野開口部を形成する視野枠体において、前記視野開口部の各角部をそれぞれ構成する隣接し且つ互いに交わる各２辺の少なくとも一方を、他方との交点よりも外側まで延在させて前記視野開口部を形成する遮光部材を具備することを特徴としている。
請求項２に記載した本発明に係る視野枠体は、請求項１の視野枠体であって、前記視野開口部の各角部をそれぞれ構成する隣接し且つ互いに交わる各２辺を、前記遮光部材の非連続面により規定して前記視野開口部を形成してなることを特徴としている。
請求項３に記載した本発明に係る視野枠体は、請求項１または請求項２の視野枠体であって、前記視野開口部の各角部を構成する隣接し且つ互いに交わる各２辺を、それぞれ異なる遮光部材および同一の遮光部材における隣接していない部分の少なくとも一方にて構成してなることを特徴としている。
【００１０】
請求項４に記載した本発明に係る視野枠体は、請求項３の視野枠体であって、それぞれ異なる方向についての視野範囲を限定する複数の遮光部材を重ね合わせて前記視野開口部を形成することを特徴としている。
請求項５に記載した本発明に係る視野枠体は、請求項４の視野枠体であって、
前記視野開口部が、第１の方向に沿う互いに平行な２辺と前記第１の方向に交差する第２の方向に沿う互いに平行な２辺にて囲まれた四角形状の視野開口部であり、且つ
前記視野開口部を構成する各辺の前記第１の方向についての視野範囲を限定する第１の遮光部材と、
前記第１の遮光部材に重ね合わせて配置され、前記視野開口部を構成する各辺の前記第２の方向についての視野範囲を限定する第２の遮光部材と
を具備することを特徴としている。
請求項６に記載した本発明に係る視野枠体は、請求項３の視野枠体であって、前記遮光部材が、視野範囲を限定する２つ以上の開口部を有し、且つ前記各開口部の間で折り曲げて前記各開口部を重ね合わせることにより１つの視野開口部を形成する遮光部材を含むことを特徴としている。
【００１１】
請求項７に記載した本発明に係る視野枠体は、請求項３の視野枠体であって、前記遮光部材が、第１の方向に沿って向かい合う互いに平行な２辺の組および前記第１の方向に交差する第２の方向に沿って向かい合う互いに平行な２辺の組にて囲まれた四角形状をなす１つの開口部を有し、且つ前記開口部の向かい合う１組または２組の辺の外縁を折り曲げて各辺より内側に位置させて視野開口部を形成する遮光部材を含むことを特徴としている。
請求項８に記載した本発明に係る視野枠体は、請求項１または請求項２の視野枠体であって、前記遮光部材が、表裏両面のうち少なくとも一方の面を厚さ方向に加工することにより前記視野開口部を形成することを特徴としている。
請求項９に記載した本発明に係る視野枠体は、請求項８の視野枠体であって、前記遮光部材の厚さ方向の加工が、切削および研削の少なくともいずれかに類する物理的な加工であることを特徴としている。
請求項１０に記載した本発明に係る視野枠体は、請求項８の視野枠体であって、前記遮光部材の厚さ方向の加工が、エッチングに類する化学的な加工であることを特徴としている。
【００１２】
請求項１１に記載した本発明に係る視野枠体は、請求項１または請求項２の視野枠体であって、前記遮光部材が、開口部の互いに平行な１組の縁部を折曲して当該辺の厚み面を開口平面とほぼ平行とし、該縁部の幅面により視野開口を限定することにより視野開口部を形成することを特徴としている。
請求項１２に記載した本発明に係る視野枠体は、請求項３〜請求項１１のうちのいずれか１項の視野枠体であって、前記遮光部材に段差を設けて、視野開口部を構成する各辺の視度差を減じる構成としたことを特徴としている。
請求項１３に記載した本発明に係るファインダ装置は、請求項１〜請求項１２のうちのいずれか１項の視野枠体を含んで構成することを特徴としている。
請求項１４に記載した本発明に係る撮影装置は、請求項１〜請求項１２のうちのいずれか１項の視野枠体をファインダ光学系および撮影光学系の少なくとも一方に含むことを特徴としている。
【００１３】
【作用】
すなわち、本発明の請求項１による視野枠体は、視野範囲を限定する視野開口部を形成する視野枠体において、前記視野開口部の各角部をそれぞれ構成する隣接し且つ互いに交わる各２辺の少なくとも一方を、他方との交点よりも外側まで延在させて前記視野開口部を形成する遮光部材を具備する。
このような構成により、特に、視野開口の各角部となる隣接する各２辺の交差により、実質的に湾曲部分を持たない角部を遮光部材により形成して、高い拡大率においても加工精度による影響を受けない視野開口部形状を得ることができ、小型化しても形状品位が低下せず、実用性の高い視野枠体を提供することが可能となる。
本発明の請求項２による視野枠体は、請求項１の視野枠体であって、前記視野開口部の各角部をそれぞれ構成する隣接し且つ互いに交わる各２辺を、前記遮光部材の非連続面により規定して前記視野開口部を形成してなる。
このような構成により、特に、遮光部材に視野開口の角部を直接加工形成することなく視野開口部を形成して、高い拡大率においても加工精度による影響を受けない視野開口部形状を容易に得ることができ、形状品位が高く、小型化しても実用性の高い視野枠体を提供することが可能となる。
【００１４】
本発明の請求項３による視野枠体は、請求項１または請求項２の視野枠体であって、前記視野開口部の各角部を構成する隣接し且つ互いに交わる各２辺を、それぞれ異なる遮光部材および同一の遮光部材における隣接していない部分の少なくとも一方にて構成してなる。
このような構成により、特に、視野開口部を形成する各角部に隣接する２辺を他の遮光部材または同一の遮光部材の他の部分で構成して、視野開口部の角部における湾曲部分を原理的に持たない視野枠体を提供することが可能となる。
本発明の請求項４による視野枠体は、請求項３の視野枠体であって、それぞれ異なる方向についての視野範囲を限定する複数の遮光部材を重ね合わせて前記視野開口部を形成する。
このような構成により、特に、視野範囲を規定する方向毎の複数の遮光部材を重ね合わせて視野開口部を形成して、角部における湾曲部分を持つことのない視野枠体を提供することが可能となる。
【００１５】
本発明の請求項５による視野枠体は、請求項４の視野枠体であって、
前記視野開口部が、第１の方向に沿う互いに平行な２辺と前記第１の方向に交差する第２の方向に沿う互いに平行な２辺にて囲まれた四角形状の視野開口部であり、且つ
前記視野開口部を構成する各辺の前記第１の方向についての視野範囲を限定する第１の遮光部材と、
前記第１の遮光部材に重ね合わせて配置され、前記視野開口部を構成する各辺の前記第２の方向についての視野範囲を限定する第２の遮光部材と
を具備する。
このような構成により、特に、第１の方向についての視野範囲を規定する第１の遮光部材に、それと交差する第２の方向についての視野範囲を規定する第２の遮光部材を重ね合わせて視野開口部を形成して、簡単な構成で角部における湾曲部分を持つことのない視野枠体を提供することが可能となる。
【００１６】
本発明の請求項６による視野枠体は、請求項３の視野枠体であって、前記遮光部材が、視野範囲を限定する２つ以上の開口部を有し、且つ前記各開口部の間で折り曲げて前記各開口部を重ね合わせることにより１つの視野開口部を形成する遮光部材を含む。
このような構成により、特に、それぞれ異なる方向についての視野範囲を既定する２つ以上の開口部を設けた遮光部材を、これら各開口部の間で前記各開口部をほぼ重ね合わせて折曲することにより視野開口部を形成して、安価で且つ簡単な構成で、しかも単一の遮光部材により構成するので、ファインダユニット等への組み付けも容易で、視野開口部の角部に湾曲部分を持つことのない視野枠体を提供することが可能となる。
【００１７】
本発明の請求項７による視野枠体は、請求項３の視野枠体であって、前記遮光部材が、第１の方向に沿って向かい合う互いに平行な２辺の組および前記第１の方向に交差する第２の方向に沿って向かい合う互いに平行な２辺の組にて囲まれた四角形状をなす１つの開口部を有し、且つ前記開口部の向かい合う１組または２組の辺の外縁を折り曲げて各辺より内側に位置させて視野開口部を形成する遮光部材を含む。
このような構成により、特に、開口部を有する遮光部材の向かい合った１組または２組の縁部において、外縁を前記開口部の当該辺よりも内側に位置させるべく折り畳んで視野開口部を形成し、安価で且つ簡単な構成で、しかも単一の遮光部材により構成するので、ファインダユニット等への組み付けも容易で、視野開口部の角部に湾曲部分を持つことのない視野枠体を提供することが可能となる。
本発明の請求項８による視野枠体は、請求項１または請求項２の視野枠体であって、前記遮光部材が、表裏両面のうち少なくとも一方の面を厚さ方向に加工することにより前記視野開口部を形成する。
このような構成により、特に、遮光部材の表裏両面のうち少なくとも一方の面を厚さ方向に加工して前記視野開口部を形成して、高い拡大率においても加工精度による影響を受けない視野開口部形状を得ることができ、小型化しても形状品位が低下せず、実用性の高い視野枠体を提供することが可能となる。
【００１８】
本発明の請求項９による視野枠体は、請求項８の視野枠体であって、前記遮光部材の厚さ方向の加工が、切削および研削の少なくともいずれかに類する物理的な加工である。
このような構成により、特に、前記遮光部材の厚さ方向の加工を切削または研削等に類する物理的な加工として、正確な形状の視野開口部を容易に得ることができる視野枠体を提供することが可能となる。
本発明の請求項１０による視野枠体は、請求項８の視野枠体であって、前記遮光部材の厚さ方向の加工が、エッチングに類する化学的な加工である。
このような構成により、特に、前記遮光部材の厚さ方向の加工を、エッチング等に類する化学的な加工として、物理的加工が困難な強度の低いシート材等についても正確な形状の視野開口部を容易に得ることができる視野枠体を提供することが可能となる。
【００１９】
本発明の請求項１１による視野枠体は、請求項１または請求項２の視野枠体であって、前記遮光部材が、開口部の互いに平行な１組の縁部を折曲して当該辺の厚み面を開口平面とほぼ平行とし、該縁部の幅面により視野開口を限定することにより視野開口部を形成する。
このような構成により、特に、前記遮光部材の開口部の互いに平行な１組の縁部を折曲して当該辺の厚み面を開口平面とほぼ平行とし、該縁部の幅面により視野開口を既定することにより視野開口部を形成して、少ない工数で、視野開口部の角部に湾曲部分を持つことのない視野枠体を提供することが可能となる。
本発明の請求項１２による視野枠体は、請求項３〜請求項１１のうちのいずれか１項の視野枠体であって、前記遮光部材に段差を設けて、視野開口部を構成する各辺の視度差を減じる構成とする。
このような構成により、特に、前記遮光部材に段差を設けて、視野開口部を構成する各辺の視度差を減じ、比較的厚い視野枠部材を用いた場合にも、視度差による影響を受けることなく、視野枠像を容易に観察し得る視野枠体を提供することが可能となる。
【００２０】
本発明の請求項１３によるファインダ装置は、請求項１〜請求項１２のうちのいずれか１項の視野枠体を含んで構成する。
このような構成により、一層高い観察倍率に耐え得る視野枠体を用いて、容易に小型化し得るファインダ装置を提供することができる。
本発明の請求項１４による撮影装置は、請求項１〜請求項１２のうちのいずれか１項の視野枠体をファインダ光学系および撮影光学系の少なくとも一方に含む。このような構成により、ファインダ光学系および撮影光学系の少なくとも一方に、一層高い観察倍率に耐え得る視野枠体を用いて、小型化を可能とし、設計上のレイアウトの自由度が高く、外装のデザインや使い易さやにも優れた撮影装置を提供することが可能となる。
【００２１】
【発明の実施の形態】
以下、本発明の実施の形態に基づき、図面を参照して本発明に係る視野枠体、ファインダ装置および撮影装置を詳細に説明する。
図１および図２は、本発明の第１の実施の形態に係る視野枠体の構成を示している。図１は、視野枠体の全体の構成を模式的に示す正面図、そして図２は、図１の視野枠体の詳細な構成を説明するための分解斜視図である。
図１および図２に示す視野枠体１は、第１の遮光部材１１と、第２の遮光部材１２とを具備している。第１の遮光部材１１は、光を透過しない材質により平板状に形成されてなり、長方形の外形を有している。この第１の遮光部材１１には、長方形の開口部１１ａが設けられており、この開口部１１ａは、視野画面の水平方向に対応する横方向の寸法をＨ１とし、視野画面の垂直方向に対応する縦方向の寸法をＶ１とする。第２の遮光部材１２は、やはり、光を透過しない材質により平板状に形成されてなり、第１の遮光部材１１と同一寸法の長方形の外形を有している。この第２の遮光部材１２には、長方形の開口部１２ａが設けられており、この開口部１２ａは、視野画面の水平方向に対応する横方向の寸法をＨ２とし、視野画面の垂直方向に対応する縦方向の寸法をＶ２とする。これら第１の遮光部材１１と第２の遮光部材１２は、図１に示すように重ね合わされて使用される。
【００２２】
第１の遮光部材１１の外形に対する開口部１１ａの中心の相対的な位置と、第２の遮光部材１２の外形に対する開口部１２ａの中心の相対的な位置とは、一致しており、各寸法Ｈ１、Ｖ１、Ｈ２、Ｖ２については、
Ｈ１＜Ｈ２
Ｖ１＞Ｖ２
なる関係がある。
したがって、図１のように、これら第１の遮光部材１１と第２の遮光部材１２とを重ね合わせた状態で、開口部１１ａと開口部１２ａにより合成される視野開口部１ａは、水平方向に対応する横方向の寸法が第１の遮光部材１１で規制されてＨ１となり、垂直方向に対応する縦方向の寸法が第２の遮光部材１２で規制されてＶ２となる（請求項１、請求項２、請求項３、請求項４および請求項５に対応する）。視野枠体１を構成する第１の遮光部材１１と第２の遮光部材１２は、保持手段（図示されていない）によって、単に位置をそろえて重ね合わせて保持するようにしてもよく、位置をそろえて重ね合わせて接着するなどして一体構成とするようにしてもよい。
このように、合成された視野枠体１の視野開口部１ａにおいては、各角部が開口部１１ａと開口部１２ａの直線状の辺の交差により形成され、角部に湾曲を生じることはない。
【００２３】
図３および図４は、本発明の第２の実施の形態に係る視野枠体の構成を示している。図３は、視野枠体の全体の構成を模式的に示す正面図、そして図４は、図３の視野枠体の詳細な構成を説明するための展開斜視図である。
図３および図４に示す視野枠体２は、光を透過しない材質により平板状に形成されてなる遮光部材２０からなり、遮光部材２０は、第１の遮光部２１と、第２の遮光部２２との２つの部分を有している。第１の遮光部２１は、長方形の外形を有する部分に長方形の閉じた開口部２１ａが設けられており、この開口部２１ａは、視野画面の水平方向に対応する横方向の寸法をＨ１とし、視野画面の垂直方向に対応する縦方向の寸法をＶ１とする。第２の遮光部２２は、第１の遮光部２１と連続して形成されるほぼ同一寸法の長方形の外形を有する部分に、この場合ほぼ長方形をなし第１の遮光部２１からもっと遠い縁部を切除して外方に開いた開口部２２ａが設けられて、ほぼコ字状をなしている。この開口部２２ａは、視野画面の水平方向に対応する横方向の寸法をＨ２とする。これら第１の遮光部２１と第２の遮光部２２は、図３および図４に示すように、第１の遮光部２１の一方の長辺の外縁、すなわち第２の遮光部２２のコ字状の背後、にて折曲して重ね合わされて使用される。
【００２４】
閉じた開口部２１ａの前記水平方向の中心位置と、開いた開口部２２ａの水平方向の中心位置とは、一致しており、各寸法Ｈ１とＨ２については、
Ｈ１＞Ｈ２
なる関係がある。また、第１の遮光部２１の折曲線から閉じた開口部２１ａまでの縁部の幅寸法Ｗ１は、第２の遮光部２２の折曲線から開いた開口部２２ａまでの縁部の幅寸法Ｗ２よりも大きく、つまり
Ｗ１＞Ｗ２
として形成している。
したがって、図３のように、遮光部材２０を折曲して折り畳み、第１の遮光部２１と第２の遮光部２２とを重ね合わせた状態で、閉じた開口部２１ａと開いた開口部２２ａにより合成される視野開口部２ａは、水平方向に対応する横方向の寸法が第２の遮光部２２で規制されてＨ２となり、垂直方向に対応する縦方向の寸法が第１の遮光部２１で規制されてＶ１となる（請求項１、請求項２、請求項３、請求項４および請求項６に対応する）。
【００２５】
このように、視野枠体２の合成された視野開口部２ａにおいては、各角部が開口部２１ａと開口部２２ａの辺の交差により形成され、角部に湾曲を生じることはない。この第２の実施の形態から明らかなように、折り重ね合わされる第１の遮光部２１の開口部２１ａと第２の遮光部２２の開口部２２ａは、閉じていてもあるいは合成された視野開口部２ａに寄与しない辺について開いていてもよく、同様に、第１の実施の形態において重ね合わされる第１の遮光部材１１の開口部１１ａと第２の遮光部材１２の開口部１２ａも、閉じていてもあるいは合成された視野開口部１ａに寄与しない辺について開いていてもよい。
図５および図６は、本発明の第３の実施の形態に係る視野枠体の構成を示している。図５は、視野枠体の全体の構成を模式的に示す斜視図、そして図６は、図５の視野枠体の詳細な構成を説明するための展開図である。
【００２６】
図５および図６に示す視野枠体３は、光を透過しない材質により平板状に形成されてなる遮光部材３０からなり、遮光部材３０は、主遮光部３１と、第１の折り返し部３２と、第２の折り返し部３３の３つの部分を有している。主遮光部３１は、長方形の外形を有する部分に長方形の閉じた開口部３１ａが設けられており、この開口部３１ａは、視野画面の垂直方向に対応する縦方向の寸法をＶ１とする。第１の折り返し部３２および第２の折り返し部３３は、主遮光部３１の視野画面の水平方向に対応する横方向両端をそれぞれ図示左右に延長して形成され、これら第１の折り返し部３２と第２の折り返し部３３は、図５に示すように、主遮光部３１の水平方向の破線で示す両端縁にて折曲して重ね合わされて使用される。主遮光部３１の折曲線から開口部３１ａまでの縁部の幅寸法Ｄ１は、第１および第２の折り返し部３２および３３の折曲線から端縁部までの共通の幅寸法Ｄ２よりも小さく形成している。
【００２７】
したがって、図５のように、遮光部材３０を折曲して折り畳み、主遮光部３１の水平方向の両端縁上に、第１の折り返し部３２と第２の折り返し部３３とを重ね合わせた状態で、合成される視野開口部３ａは、水平方向に対応する横方向の寸法が第１および第２の折り返し部３２および３３で規制され、垂直方向に対応する縦方向の寸法が主遮光部３１で規制されてＶ１となる（請求項１、請求項２、請求項３、請求項４および請求項７に対応する）。なお、図５および図６においては、主遮光部３１の長方形の短辺についてのみ、折り返し成型するようにしているが、長辺についても折り返し成型するようにしてもよく、それによって視野枠観察時の視度差を低減することも可能である。
図７および図８は、本発明の第４の実施の形態に係る視野枠体の構成を示している。図７は、視野枠体の全体の構成を模式的に示す正面図、そして図８は、図７のＡ−Ａ′線に沿う矢視方向断面図である。
【００２８】
図７および図８に示す視野枠体４は、光を透過しない材質により平板状に形成されてなる遮光部材４０からなり、遮光部材４０は、長方形の外形を有する部分に長方形の閉じた開口部４０ａが設けられている。この開口部４０ａは、長方形の短辺を形成する縁部を円筒曲面の一部をなす傾斜面として一方の面から厚さ方向について切削または研削加工のような物理的な加工により加工している。このように厚さ方向に加工することにより、短辺との交点を越えた位置まで長辺を形成して、角部のなまりの発生を防止している。この場合、開口部４０ａの長方形の長辺による垂直方向の規制は、開口部４０ａの当該辺の端面により決定され、短辺による水平方向の規制は、開口部４０ａの当該辺の傾斜面により形成される尖端縁により決定される（請求項８および請求項９に対応する）。
図９および図１０は、本発明の第５の実施の形態に係る視野枠体の構成を示している。図９は、視野枠体の全体の構成を模式的に示す正面図、そして図１０は、図９のＢ−Ｂ′線に沿う矢視方向断面図である。
【００２９】
図９および図１０に示す視野枠体５は、光を透過しない材質により平板状に形成されてなる遮光部材５０からなり、遮光部材５０は、長方形の外形より小さい面積の長方形をなす閉じた開口部５０ａが設けられている。この開口部５０ａは、内方の長方形の部分をプレス等の突出し加工（繰り出し加工）により突出させ、長方形の長辺を形成する縁部を剪断し、長方形の短辺を形成する縁部を折曲させ、さらに突出部を研削除去する加工により厚さ方向について加工している。このように加工することにより、短辺との交点を越えた位置まで長辺を形成して、角部のなまりの発生を防止している。この場合も、開口部５０ａの長方形の長辺による垂直方向の規制は、開口部５０ａの当該辺の端面により決定され、短辺による水平方向の規制は、開口部５０ａの当該辺の折曲部により形成される端縁により決定される（請求項８および請求項９に対応する）。
図１１は、本発明の第６の実施の形態に係る視野枠体の構成を示している。図１１の（ａ）は、視野枠体の全体の構成の正面図、図１１の（ｂ）は、平面図、そして図１１の（ｃ）は、背面図である。
【００３０】
図１１に示す視野枠体６は、光を透過しない材質により平板状に形成されてなる遮光部材６０からなり、厚み方向の上半部に、図１および図２に示した開口部１２ａと同様の配置寸法をなす第１の開口部６０ａを形成し、厚み方向の下半部に、図１および図２に示した開口部１１ａと同様の配置寸法をなす第２の開口部６０ｂを形成している。このような遮光部材６０に対する厚み方向で異なる第１および第２の開口部６０ａおよび６０ｂの加工は、切削加工等の物理的な機械加工により行なう（請求項９に対応する）。なお、遮光部材６０に対する厚み方向で異なる第１および第２の開口部６０ａおよび６０ｂの加工に、化学的なエッチング等の加工技術を用いるようにすれば、一層厚みの薄い視野枠体を構成することもできる（請求項１０に対応する）。
図１２および図１３は、本発明の第７の実施の形態に係る視野枠体の構成を示している。図１２は、視野枠体の全体の構成を示す斜視図、そして図１３は、その展開斜視図である。
【００３１】
図１２および図１３に示す視野枠体７は、光を透過しない材質により平板状に形成されてなる遮光部材７０からなり、長方形の開口部７０ａを形成し、長方形の長辺に相当する両側の縁部７０ｂおよび７０ｃのそれぞれ全体を９０°折曲し、開口部７０ａの長辺の厚み面を、視野枠開口平面とほぼ平行としたものである（請求項１１に対応する）。このようにすることにより、視野開口部７ａの長辺が折曲した縁部７０ｂおよび７０ｃの幅面により規定されるため、視野開口部７ａの長辺が短辺との交点を越えて形成されることになる。
図１４および図１５は、本発明の第８の実施の形態に係る視野枠体の構成を示している。図１４は、視野枠体の全体の構成を示す模式的平面図、そして図１５は、その分解斜視図である。
図１４および図１５に示す視野枠体８は、光を透過しない材質により平板状に形成されてなる第１の遮光部材８１に長方形の開口部８１ａを形成し、さらに短辺に対応し且つ外形まで延びる両端縁部８１ｂおよび８１ｃと、開口部８１ａのみの長辺に対応する両端縁部８１ｄおよび８１ｅとに、図１４および図１５に示すように厚み分に相当する段差を形成する。
【００３２】
そして、開口部８１ａの短辺に対応し且つ外形まで延びる両端縁部８１ｂおよび８１ｃにそれぞれ対応する形状の第２および第３の遮光部材８２および８３を、第１の遮光部材８１の端縁部８１ｂおよび８１ｃに重ね合わせ、これら第２および第３の遮光部材８２および８３が長辺に対応する両端縁部８１ｄおよび８１ｅと同一平面上に位置するようにする。視野開口部が、これら第１の遮光部材８１の両端縁部８１ｄおよび８１ｅと第２および第３の遮光部材８２および８３により囲まれて形成されることにより、視野開口部の周縁における視度差が効果的に低減される（請求項１２に対応する）。
図１６および図１７は、本発明の第９の実施の形態に係る視野枠体の構成を示している。図１６は、視野枠体の全体の構成を示す模式的平面図、そして図１７は、その展開斜視図である。
【００３３】
図１６および図１７に示す視野枠体９は、光を透過しない材質により平板状に形成されてなる遮光部材９０に長方形の開口部９０ａを形成し、さらに短辺に対応し且つ外形まで延びる両縁部９０ｂおよび９０ｃと、開口部９０ａのみの長辺に対応する両縁部９０ｄおよび９０ｅとに、図１６および図１７に示すように厚み分に相当する段差を形成する。そして、両縁部９０ｂおよび９０ｃからさらに同程度の幅だけ外方に延びるそれぞれ第１および第２の折り返し部９０ｆおよび９０ｇを形成する。これら第１および第２の折り返し部９０ｆおよび９０ｇを折り返して、それぞれ両縁部９０ｂおよび９０ｃに重ね合わせ、これら第１および第２の折り返し部９０ｆおよび９０ｇが長辺に対応する両縁部９０ｄおよび９０ｅと同一平面上に位置するようにする。視野開口部が、これらにより囲まれて形成されることにより、視野開口部の周縁における視度差が効果的に低減される（やはり、請求項１２に対応する）。
さらに上述したいずれかのような高い観察倍率に耐え得る視野枠体を含んでファインダ装置を構成することにより、容易に小型化し得るファインダ装置とすることができる。
また、同様の視野枠体をファインダ光学系および撮影光学系の少なくとも一方に用いて撮影装置を構成することにより、小型化が可能で、しかも設計上のレイアウトの自由度が高く、外装のデザインや使い易さやにも優れた撮影装置とすることが可能となる。
【００３４】
【発明の効果】
以上述べたように、本発明によれば、視野枠を形成する遮光部材による視野開口部の構成および前記遮光部材の加工方法を改善し、一層高い観察倍率に耐え、ファインダ光学系を小型化することを可能とする視野枠体、ファインダ装置および撮影装置を提供することができる。
すなわち本発明の請求項１の視野枠体によれば、視野範囲を限定する視野開口部を形成する視野枠体において、前記視野開口部の各角部をそれぞれ構成する隣接し且つ互いに交わる各２辺の少なくとも一方を、他方との交点よりも外側まで延在させて前記視野開口部を形成する遮光部材を具備することにより、特に、視野開口の各角部となる隣接する各２辺の交差により、実質的に湾曲部分を持たない角部を遮光部材により形成して、高い拡大率においても加工精度による影響を受けない視野開口部形状を得ることができ、小型化しても形状品位が低下せず、実用性の高い視野枠体を提供することができる。
【００３５】
本発明の請求項２の視野枠体によれば、請求項１の視野枠体において、前記視野開口部の各角部をそれぞれ構成する隣接し且つ互いに交わる各２辺を、前記遮光部材の非連続面により規定して前記視野開口部を形成してなることにより、特に、遮光部材に視野開口の角部を直接加工形成することなく視野開口部を形成して、高い拡大率においても加工精度による影響を受けない視野開口部形状を容易に得ることができ、形状品位が高く、小型化しても実用性の高い視野枠体を提供することができる。
本発明の請求項３の視野枠体によれば、請求項１または請求項２の視野枠体において、前記視野開口部の各角部を構成する隣接し且つ互いに交わる各２辺を、それぞれ異なる遮光部材および同一の遮光部材における隣接していない部分の少なくとも一方にて構成してなることにより、特に、視野開口部を形成する各角部に隣接する２辺を他の遮光部材または同一の遮光部材の他の部分で構成して、視野開口部の角部における湾曲部分を原理的に持たない視野枠体を提供することができる。
【００３６】
本発明の請求項４の視野枠体によれば、請求項３の視野枠体において、それぞれ異なる方向についての視野範囲を限定する複数の遮光部材を重ね合わせて前記視野開口部を形成することにより、特に、視野範囲を規定する方向毎の複数の遮光部材を重ね合わせて視野開口部を形成して、角部における湾曲部分を持つことのない視野枠体を提供することができる。
本発明の請求項５の視野枠体によれば、請求項４の視野枠体において、前記視野開口部が、第１の方向に沿う互いに平行な２辺と前記第１の方向に交差する第２の方向に沿う互いに平行な２辺にて囲まれた四角形状の視野開口部であり、且つ前記視野開口部を構成する各辺の前記第１の方向についての視野範囲を限定する第１の遮光部材と、前記第１の遮光部材に重ね合わせて配置され、前記視野開口部を構成する各辺の前記第２の方向についての視野範囲を限定する第２の遮光部材とを具備することにより、特に、第１の方向についての視野範囲を規定する第１の遮光部材に、それと交差する第２の方向についての視野範囲を規定する第２の遮光部材を重ね合わせて視野開口部を形成して、簡単な構成で角部における湾曲部分を持つことのない視野枠体を提供することができる。
【００３７】
本発明の請求項６の視野枠体によれば、請求項３の視野枠体において、前記遮光部材が、視野範囲を限定する２つ以上の開口部を有し、且つ前記各開口部の間で折り曲げて前記各開口部を重ね合わせることにより１つの視野開口部を形成する遮光部材を含むことにより、特に、それぞれ異なる方向についての視野範囲を既定する２つ以上の開口部を設けた遮光部材を、これら各開口部の間で前記各開口部をほぼ重ね合わせて折曲することにより視野開口部を形成して、安価で且つ簡単で、しかも組み付けも容易な構成で視野開口部の角部に湾曲部分を持つことのない視野枠体を提供することができる。
本発明の請求項７の視野枠体によれば、請求項３の視野枠体において、前記遮光部材が、第１の方向に沿って向かい合う互いに平行な２辺の組および前記第１の方向に交差する第２の方向に沿って向かい合う互いに平行な２辺の組にて囲まれた四角形状をなす１つの開口部を有し、且つ前記開口部の向かい合う１組または２組の辺の外縁を折り曲げて各辺より内側に位置させて視野開口部を形成する遮光部材を含むことにより、特に、開口部を有する遮光部材の向かい合った１組または２組の縁部において、外縁を前記開口部の当該辺よりも内側に位置させるべく折り畳んで視野開口部を形成し、安価で且つ簡単で、しかも組み付けも容易な構成で視野開口部の角部に湾曲部分を持つことのない視野枠体を提供することができる。
【００３８】
本発明の請求項８の視野枠体によれば、請求項１または請求項２の視野枠体において、前記遮光部材が、表裏両面のうち少なくとも一方の面を厚さ方向に加工することにより前記視野開口部を形成することにより、特に、遮光部材の表裏両面のうち少なくとも一方の面を厚さ方向に加工して前記視野開口部を形成して、高い拡大率においても加工精度による影響を受けない視野開口部形状を得ることができ、小型化しても形状品位が低下せず、実用性の高い視野枠体を提供することができる。
本発明の請求項９の視野枠体によれば、請求項８の視野枠体において、前記遮光部材の厚さ方向の加工が、切削および研削の少なくともいずれかに類する物理的な加工であることにより、特に、前記遮光部材の厚さ方向の加工を切削または研削等に類する物理的な加工として、正確な形状の視野開口部を容易に得ることができる。
【００３９】
本発明の請求項１０の視野枠体によれば、請求項８の視野枠体において、前記遮光部材の厚さ方向の加工が、エッチングに類する化学的な加工であることにより、特に、前記遮光部材の厚さ方向の加工を、エッチング等に類する化学的な加工として、物理的加工が困難な強度の低いシート材等についても正確な形状の視野開口部を容易に得ることができる。
本発明の請求項１１の視野枠体によれば、請求項１または請求項２の視野枠体において、前記遮光部材が、開口部の互いに平行な１組の縁部を折曲して当該辺の厚み面を開口平面とほぼ平行とし、該縁部の幅面により視野開口を限定することにより視野開口部を形成することにより、特に、前記遮光部材の開口部の互いに平行な１組の縁部を折曲して当該辺の厚み面を開口平面とほぼ平行とし、該縁部の幅面により視野開口を既定することにより視野開口部を形成して、少ない工数で、視野開口部の角部に湾曲部分を持つことのない視野枠体を提供することができる。
【００４０】
本発明の請求項１２の視野枠体によれば、請求項３〜請求項１１のうちのいずれか１項の視野枠体において、前記遮光部材に段差を設けて、視野開口部を構成する各辺の視度差を減じる構成とすることにより、特に、前記遮光部材に段差を設けて、視野開口部を構成する各辺の視度差を減じ、比較的厚い視野枠部材を用いた場合にも、視度差による影響を受けることなく、視野枠像を容易に観察し得る視野枠体を提供することができる。
本発明の請求項１３のファインダ装置によれば、請求項１〜請求項１２のうちのいずれか１項の視野枠体を含んでファインダ装置を構成することにより、一層高い観察倍率に耐え得る視野枠体を用いて容易に小型化し得るファインダ装置を提供することができる。
本発明の請求項１４の撮影装置によれば、請求項１〜請求項１２のうちのいずれか１項の視野枠体をファインダ光学系および撮影光学系の少なくとも一方に含むことにより、ファインダ光学系および撮影光学系の少なくとも一方に、一層高い観察倍率に耐え得る視野枠体を用いて、小型化を可能とし、設計上のレイアウトの自由度が高く、外装のデザインや使い易さやにも優れた撮影装置を提供することができる。
【図面の簡単な説明】
【図１】本発明の第１の実施の形態に係る視野枠体の全体の構成を模式的に示す正面図である。
【図２】図１の視野枠体の詳細な構成を説明するための分解斜視図である。
【図３】本発明の第２の実施の形態に係る視野枠体の全体の構成を模式的に示す正面図である。
【図４】図３の視野枠体の詳細な構成を説明するための展開斜視図である。
【図５】本発明の第３の実施の形態に係る視野枠体の全体の構成を模式的に示す斜視図である。
【図６】図５の視野枠体の詳細な構成を説明するための展開図である。
【図７】本発明の第４の実施の形態に係る視野枠体の全体の構成を模式的に示す正面図である。
【図８】図７の視野枠体の詳細な構成を説明するためのＡ−Ａ′線に沿う矢視方向断面図である。
【図９】本発明の第５の実施の形態に係る視野枠体の全体の構成を模式的に示す正面図である。
【図１０】図９の視野枠体の詳細な構成を説明するためのＢ−Ｂ′線に沿う矢視方向断面図である。
【図１１】本発明の第６の実施の形態に係る視野枠体の構成を模式的に示し、（ａ）は全体の正面図、（ｂ）は平面図、そして（ｃ）は背面図である。
【図１２】本発明の第７の実施の形態に係る視野枠体の全体の構成を模式的に示す斜視図である。
【図１３】図１２の視野枠体の詳細な構成を説明するための展開斜視図である。
【図１４】本発明の第８の実施の形態に係る視野枠体の全体の構成を示す模式的平面図である。
【図１５】図１４の視野枠体の詳細な構成を説明するための分解斜視図である。
【図１６】本発明の第９の実施の形態に係る視野枠体の全体の構成を示す模式的平面図である。
【図１７】図１６の視野枠体の詳細な構成を説明するための展開斜視図である。
【図１８】本発明に係る視野枠の拡大像を説明するための図である。
【図１９】拡大率が低い場合の視野枠の拡大像の角部形状を説明するための模式図である。
【図２０】小型化等により拡大率が高くなった場合の視野枠の拡大像の角部形状を説明するための模式図である。
【符号の説明】
１，２，３，４，５，６，７，８，９  視野枠体
１１，１２，２０、３０，４０，５０，６０，７０，８１，８２，８３，９０
遮光部材
２１，２２  遮光部
３１  主遮光部
３２，３３，９０ｆ，９０ｇ  折り返し部
１ａ，２ａ，３ａ，７ａ  視野開口部
１１ａ，１２ａ，２１ａ，２２ａ，３１ａ，４０ａ，５０ａ，６０ａ，６０ｂ，７０ａ，８１ａ，９０ａ  開口部
７０ｂ，７０ｃ，８１ｂ，８１ｃ，８１ｄ，８１ｅ，９０ｂ，９０ｃ，９０ｄ，９０ｅ  縁部
【図１】
2004205829.tif 000003
【図２】
2004205829.tif 000004
【図３】
2004205829.tif 000005
【図４】
2004205829.tif 000006
【図５】
2004205829.tif 000007
【図６】
2004205829.tif 000008
【図７】
2004205829.tif 000009
【図８】
2004205829.tif 000010
【図９】
2004205829.tif 000011
【図１０】
2004205829.tif 000012
【図１１】
2004205829.tif 000013
【図１２】
2004205829.tif 000014
【図１３】
2004205829.tif 000015
【図１４】
2004205829.tif 000016
【図１５】
2004205829.tif 000017
【図１６】
2004205829.tif 000018
【図１７】
2004205829.tif 000019
【図１８】
2004205829.tif 000020
【図１９】
2004205829.tif 000021
【図２０】
2004205829.tif 000022